【手続補正書】
【提出日】平成20年8月29日(2008.8.29)
【手続補正１】
【補正対象書類名】特許請求の範囲
【補正対象項目名】全文
【補正方法】変更
【補正の内容】
【特許請求の範囲】
【請求項１】
略円柱形状をなす工具本体の先端部外周には多数の螺旋状の切り屑排出溝が設けられ、この切り屑排出溝のすくい面と前記工具本体の先端逃げ面との交差稜線部には夫々前記工具本体と一体にして切れ刃を有する底刃が設けられた回転切削工具であって、前記底刃のうちの少なくとも１つには、工具外周側寄り部位が切欠され前記工具本体の軸方向に没入する非切削部が形成されており、この底刃の残余の部位は切れ刃となる切削部に形成され、前記非切削部は、工具中心若しくはその近傍位置から工具外周方向所定位置まで延設される切削部と、段差部を介して設けられており、前記非切削部が形成された底刃以外の残余の底刃の切れ刃は、工具本体の外周縁から前記非切削部を有する底刃の切れ刃長以下位置まで形成されていることを特徴とする回転切削工具。
【請求項２】
請求項１記載の回転切削工具において、前記非切削部は、前記残余の底刃の切れ刃の回転軌跡の範囲内に設けられていることを特徴とする回転切削工具。
【請求項３】
請求項２記載の回転切削工具において、前記非切削部の軸方向への没入量は、前記残余の底刃の切れ刃位置以下となる没入量であることを特徴とする回転切削工具。
【請求項４】
請求項１〜３いずれか１項に記載の回転切削工具において、前記非切削部は、少なくとも前記残余の底刃の切れ刃長の５％以上の長さであることを特徴とする回転切削工具。
【請求項５】
請求項１〜４いずれか１項に記載の回転切削工具において、前記非切削部は前記工具本体の外周縁まで形成されていることを特徴とする回転切削工具。
【請求項６】
請求項１〜４いずれか１項に記載の回転切削工具において、前記非切削部は、前記工具本体の外周側を一部残した位置まで形成されていることを特徴とする回転切削工具。
【請求項７】
請求項６記載の回転切削工具において、前記非切削部の底面の工具側面視における水平基準線に対する傾斜角は、前記切削部を形成する逃げ面のすかし角より大きな角度であることを特徴とする回転切削工具。
【請求項８】
請求項１〜７いずれか１項に記載の回転切削工具において、前記多数の底刃は工具の円周方向に等分割に配置されていることを特徴とする回転切削工具。
【請求項９】
請求項８記載の回転切削工具において、前記多数の螺旋状の切り屑排出溝のうちの少なくとも１つは、他の切り屑排出溝とは異なる分割角度で工具の円周方向に配置されていることを特徴とする回転切削工具。
【請求項１０】
請求項１〜９いずれか１項に記載の回転切削工具において、前記工具本体の切り屑排出溝のすくい面と前記工具本体の外周面若しくは前記工具本体の外周に形成された外周逃げ面との交差稜線部に外周刃が形成されていることを特徴とする回転切削工具。
【請求項１１】
請求項１０記載の回転切削工具において、前記底刃と前記外周刃とが工具外方に湾曲する円弧状のコーナアール刃を介して連設されていることを特徴とする回転切削工具。
【請求項１２】
請求項１〜１１いずれか１項に記載の回転切削工具において、前記底刃の工具中心側が工具外周側に比し前記工具本体の軸方向に突出状態となるように構成されていることを特徴とする回転切削工具。
【手続補正２】
【補正対象書類名】明細書
【補正対象項目名】全文
【補正方法】変更
【補正の内容】
【発明の詳細な説明】
【発明の名称】回転切削工具
【技術分野】
【０００１】
本発明は、回転切削工具に関するものである。
【背景技術】
【０００２】
回転切削工具、例えば、円柱形状をなす工具本体の先端部外周に切り屑排出溝が設けられ、該切り屑排出溝のすくい面と前記工具本体の先端逃げ面との交差稜線部に底刃が設けられるエンドミルの切り屑排出性を向上させるため、種々の提案がなされている。
【０００３】
例えば実開昭６３−１３１３１３号公報（特許文献１）には、工具の先端外周縁から工具中心に向かって形成される底刃のうち、一対の底刃の工具中心側を切り欠いて、残余の底刃より切れ刃を短くした所謂不等底刃形状に関する技術が開示されている。
【０００４】
【特許文献１】実開昭６３−１３１３１３号公報
【発明の開示】
【発明が解決しようとする課題】
【０００５】
ところで、上記不等底刃形状を有するエンドミル等、従来の構成のエンドミルを用いて縦送り加工を行った場合、切り屑が連続的に生じて前記底刃間の溝に詰まり、底刃の欠損や折損が発生し易く、縦送り加工を効率的に行えないことが確認されており、未だに十分な切り屑排出性は得られていないのが現状である。
【０００６】
本発明は、上述のような現状に鑑み成されたもので、縦送り加工時にも良好に切り屑を排出することができ、切り屑の詰まりを可及的に阻止できる極めて実用性に秀れた回転切削工具を提供するものである。
【課題を解決するための手段】
【０００７】
添付図面を参照して本発明の要旨を説明する。
【０００８】
略円柱形状をなす工具本体１の先端部外周には多数の螺旋状の切り屑排出溝２が設けられ、この切り屑排出溝２のすくい面３と前記工具本体１の先端逃げ面との交差稜線部には夫々前記工具本体１と一体にして切れ刃を有する底刃が設けられた回転切削工具であって、前記底刃のうちの少なくとも１つには、工具外周側寄り部位が切欠され前記工具本体１の軸方向に没入する非切削部22が形成されており、この底刃の残余の部位は切れ刃となる切削部21に形成され、前記非切削部22は、工具中心Ｏ若しくはその近傍位置から工具外周方向所定位置まで延設される切削部21と、段差部９を介して設けられており、前記非切削部22が形成された底刃６以外の残余の底刃７の切れ刃は、工具本体１の外周縁から前記非切削部22を有する底刃６の切れ刃長以下位置まで形成されていることを特徴とする回転切削工具に係るものである。
【０００９】
また、請求項１記載の回転切削工具において、前記非切削部22は、前記残余の底刃７の切れ刃の回転軌跡の範囲内に設けられていることを特徴とする回転切削工具に係るものである。
【００１０】
また、請求項２記載の回転切削工具において、前記非切削部22の軸方向への没入量は、前記残余の底刃７の切れ刃位置以下となる没入量であることを特徴とする回転切削工具に係るものである。
【００１１】
また、請求項１〜３いずれか１項に記載の回転切削工具において、前記非切削部22は、少なくとも前記残余の底刃７の切れ刃長の５％以上の長さであることを特徴とする回転切削工具に係るものである。
【００１２】
また、請求項１〜４いずれか１項に記載の回転切削工具において、前記非切削部22は前記工具本体１の外周縁まで形成されていることを特徴とする回転切削工具に係るものである。
【００１３】
また、請求項１〜４いずれか１項に記載の回転切削工具において、前記非切削部22は、前記工具本体１の外周側を一部残した位置まで形成されていることを特徴とする回転切削工具に係るものである。
【００１４】
また、請求項６記載の回転切削工具において、前記非切削部22の底面23の工具側面視における水平基準線Ｌに対する傾斜角βは、前記切削部21を形成する逃げ面８のすかし角αより大きな角度であることを特徴とする回転切削工具に係るものである。
【００１５】
また、請求項１〜７いずれか１項に記載の回転切削工具において、前記多数の底刃は工具の円周方向に等分割に配置されていることを特徴とする回転切削工具に係るものである。
【００１６】
また、請求項８記載の回転切削工具において、前記多数の螺旋状の切り屑排出溝２のうちの少なくとも１つは、他の切り屑排出溝２とは異なる分割角度で工具の円周方向に配置されていることを特徴とする回転切削工具に係るものである。
【００１７】
また、請求項１〜９いずれか１項に記載の回転切削工具において、前記工具本体１の切り屑排出溝２のすくい面３と前記工具本体１の外周面若しくは前記工具本体１の外周に形成された外周逃げ面との交差稜線部に外周刃11が形成されていることを特徴とする回転切削工具に係るものである。
【００１８】
また、請求項１０記載の回転切削工具において、前記底刃と前記外周刃11とが工具外方に湾曲する円弧状のコーナアール刃を介して連設されていることを特徴とする回転切削工具に係るものである。
【００１９】
また、請求項１〜１１いずれか１項に記載の回転切削工具において、前記底刃の工具中心側が工具外周側に比し前記工具本体１の軸方向に突出状態となるように構成されていることを特徴とする回転切削工具に係るものである。
【発明の効果】
【００２０】
本発明は上述のように構成したから、縦送り加工時にも良好に切り屑を排出することができ、切り屑の詰まりを可及的に阻止できる極めて実用性に秀れた回転切削工具となる。
【発明を実施するための最良の形態】
【００２１】
好適と考える本発明の実施形態を、図面に基づいて本発明の作用を示して簡単に説明する。
【００２２】
少なくとも１つ、非切削部22を有する底刃６を設けることで、該底刃６により生じる切り屑量が減少し、それだけ切り屑が詰まりにくくなる。
【００２３】
また、非切削部22は工具外周側寄りに形成されるから、工具外周側で生じる切り屑が少なくなり、工具中心側で生じた切り屑の排出が阻害されにくくなる。尚、非切削部22が形成されるのは残余の底刃７の回転軌跡の範囲内であるから、非切削部22を有する底刃６は該非切削部22の部分においては切削が行われないが、残余の底刃７により切削が行われる。
【００２４】
従って、本発明は、縦送り加工時にも良好に切り屑を排出することができ、切り屑の詰まりを可及的に阻止できる極めて実用性に秀れた回転切削工具となる。
【実施例１】
【００２５】
本発明の具体的な実施例１について図１〜１１に基づいて説明する。
【００２６】
実施例１は、略円柱形状をなす工具本体１の先端部外周には多数の螺旋状の切り屑排出溝２が設けられ、この切り屑排出溝２のすくい面３と前記工具本体１の先端逃げ面との交差稜線部には夫々底刃が設けられた回転切削工具であって、前記底刃のうちの少なくとも１つは、切れ刃の工具外周側寄りが前記工具本体１の軸方向に没入して非切削部22が形成された構成であり、該非切削部22は工具本体１の外周縁まで形成されているものである。
【００２７】
具体的には、実施例１は、図１〜３に図示したように、工具本体１の切り屑排出溝２のすくい面３（工具回転方向を向く壁面）と前記工具本体１の外周面との交差稜線部に外周刃11が形成され、基端部にフライス盤の工具取り付け部と連結するシャンク部を有し、フライス盤に取り付けられアルミニウム板等の金属に穴加工（縦送り加工）や端面加工（横送り加工）等の切削加工を施すエンドミルである。
【００２８】
即ち、実施例１は、４つの底刃を有する所謂４枚刃スクエアエンドミルであり、対向する一対の底刃が前記非切削部22を有する底刃６に設定され、残余の対向する一対の底刃７は、工具本体１の先端外周縁から前記非切削部22を有する底刃６の長さ以下の長さとなる切れ刃を具備した底刃７に設定されている。
【００２９】
この各底刃６・７同士の間には、チップポケット17（ギャッシュ）が設けられている。このギャッシュは、切り屑排出溝２のすくい面３の先端側に形成されるギャッシュ面18と、該切り屑排出溝２のすくい面３と対向する溝壁面20に形成されるギャッシュ面19と、前記ギャッシュ面18・19と連設するギャッシュ底面25とが平面視略コ字状に配設されて構成されている。尚、ギャッシュ底面25を設けず、前記ギャッシュ面18・19を平面視略ヘ字状に配設して構成しても良い。
【００３０】
また、実施例１においては、４つの底刃は夫々９０°間隔で設けられており、また、４つの切り屑排出溝２は、非切削部22を有する底刃６の前方の切り屑排出溝２及び残余の底刃７の前方の切り屑排出溝２が夫々８８°若しくは９２°間隔で設けられている。
【００３１】
各部を具体的に説明する。
【００３２】
非切削部22を有する底刃６は、工具中心Ｏ近傍位置から工具外周方向所定位置まで延設される切れ刃を具備した切削部21の工具外周側に、段差部９を介して非切削部22を設けることで構成されている。
【００３３】
非切削部22を有する底刃６の切れ刃は、切り屑排出溝２のすくい面３と該底刃６の切れ刃を形成する逃げ面８との交差稜線部に形成されている。該底刃６の切れ刃を形成する逃げ面８は、第一逃げ面13と第二逃げ面14とで構成される。尚、実施例１は逃げ面８を第一逃げ面13及び第二逃げ面14とで構成しているが、３つ以上の逃げ面を連設して構成しても良いし、１つの逃げ面で構成しても良い（後記残余の底刃７の切れ刃を形成する逃げ面12においても同様。）。
【００３４】
従って、非切削部22を有する底刃６の切れ刃は、すくい面３の先端側に形成されるギャッシュ面18と前記第一逃げ面13との交差稜線部に形成されている。
【００３５】
この非切削部22を有する底刃６は、工具中心Ｏの近傍にして工具回転方向側に設けられ、工具本体１の先端外周縁（外周刃11）から工具半径ｒより長い長さで設けられている所謂心上がり形状である。具体的には、該底刃６は工具中心Ｏに関して対称となるように設けられており、少なくとも工具中心側端部が半径方向において重なるように設けられている。
【００３６】
尚、前記底刃６の配置は上記と逆にしても良い。即ち、非切削部22を有する底刃６を工具本体の先端外周縁から工具中心Ｏまで形成せず、該工具中心Ｏに到達しない途中位置まで設ける構成としても良い。更に、底刃６を工具本体１の外周刃11から工具中心Ｏ近傍位置にして該工具中心Ｏより反工具回転方向側に向かって設ける構成とする所謂心下がり形状としても良い。また、心上がり形状とするか心下がり形状とするかについては残余の底刃７に対しても同様で、どちらを選択しても良い。
【００３７】
残余の底刃７は、該底刃７と工具中心Ｏとの間にまでチップポケット17（ギャッシュ）を形成し得るように工具本体１の外周刃11から工具中心Ｏに向かって所定距離（工具半径ｒ以下の長さ）だけ延びる構成である。従って、非切削部22を有する底刃６と残余の底刃７の（先端側から見た）回転軌跡は工具外周側において一部重複することになる。
【００３８】
残余の底刃７の切れ刃は、切り屑排出溝２のすくい面３と該底刃７の切れ刃を形成する逃げ面12との交差稜線部に形成されている。この残余の底刃７の切れ刃を形成する逃げ面12は、第一逃げ面15及び第二逃げ面16とで構成される。従って、残余の底刃７の切れ刃は、すくい面３の先端側に形成されるギャッシュ面18と前記第一逃げ面15との交差稜線部に形成されている。尚、実施例１の底刃７にはその全長にわたって切れ刃が設けられている。また、残余の底刃７は工具中心Ｏに関して対称となるように設けられている。
【００３９】
実施例１においては、非切削部22を有する底刃６の切削部21の範囲（切れ刃の長さ）は、非切削部22が前記残余の底刃７の回転軌跡の範囲内にのみに設けられることから決定される。具体的には、図１１に図示したように、非切削部22を前記残余の底刃７の切れ刃長の５％以上の長さにわたって設けると、従来の工具に比し２倍以上の速度で軸方向に切削送りが可能となることから、「非切削部22を有する底刃６の全長」−「残余の底刃７（の切れ刃）の全長の５％以上」の長さとなるように切削部21を設けると良い。
【００４０】
また、非切削部22は、該非切削部22を有する底刃６にして段差部９よりも工具外周側の部分が縦送り加工時に切削作用を発揮しないように工具本体１の先端外周縁まで形成されている。
【００４１】
即ち、実施例１は、非切削部22を有する底刃６の外周部分（残余の底刃７との回転軌跡重複部分にして工具本体１の先端外周縁から所定距離の部分）に設けられる非切削部22を該底刃６の切れ刃及び残余の底刃７の切れ刃に対して軸方向に没入せしめて切削作用を発揮させないようにしている。
【００４２】
具体的には、図４，５に図示したように、非切削部22の底面23が、非切削部22を有する底刃６の切れ刃の外方延長線Ｐに対して軸方向に没入状態となるように形成され、且つ、残余の底刃７（の切れ刃）の回転軌跡に対して軸方向に没入状態となるように（少なくとも非切削部22が形成される段差部９から外周縁までの範囲において、底刃６の切れ刃の外方延長線Ｐと、非切削部22の底面23とギャッシュ面18との交差稜線の外方延長線Ｑとが交差しないように）構成されている。
【００４３】
尚、非切削部22の底面23は、上述のように底刃６の外周側が切削作用を発揮しないようにするため、逃げ面８を工具外周側まで面一とせず、段差部９を介して工具外周側を軸方向に没入せしめて形成されたものであり、この底面23も当然ワーク等の被切削物と接触しない所謂逃げ面である。
【００４４】
即ち、図５に図示したように、底刃６の外周部分を大きく切り欠くことができない場合には、例えば、図４に図示したように非切削部22の底面23のすかし角β（非切削部22の底面23の工具側面視水平基準線Ｌに対する傾斜角β）を、切削部21を形成する逃げ面８のすかし角以下の角度とすることによっても切削作用を発揮させないようにすることができる。また、前記逃げ面８及び前記非切削部22の逃げ角は０°以上、非切削部22（の底面23）の軸方向への没入量Ｘは、工具半径ｒ以下に設定する。尚、実施例１においては、逃げ面８及び非切削部22の底面23のすかし角α・βは夫々２°に設定されている。
【００４５】
また、非切削部22を有する底刃６及び残余の底刃７の外周側にして軸方向後方に、ギャッシュ面１８を外周端まで延設することでフラットランド部を形成すると耐欠損性に有利である。
【００４６】
尚、実施例１においては４枚刃スクエアエンドミルについて説明しているが、４枚刃形状に限らず、５枚刃以上や、図６〜８に図示したような３枚刃形状でも同様である。例えば、図６〜８は、３つの底刃のうち、１つを上記非切削部22を有する底刃６に、２つを上記残余の底刃７に設定した場合であり、図７は逃げ面８のすかし角と非切削部22の底面23のすかし角を同じ角度に設定した例、図８は非切削部22の底面23を軸心と直交する水平面に設定した例である。
【００４７】
また、前記底刃と前記外周刃11とが略４分の１円弧状のコーナアール刃を介して連設されているラジアスエンドミルや、ボールエンドミルや、図９，１０に図示したような底刃６・７の工具中心側が工具外周側に比し軸方向に突出状態となるように構成されたドリル等の他の回転切削工具においても同様である。例えば、図９，１０は、３つの底刃のうち、１つを上記非切削部22を有する底刃６に、２つを上記残余の底刃７に設定した場合であり、図１０は上記図７と同様、逃げ面８の傾斜角（エンドミルのすかし角に相当）と非切削部22の底面23の傾斜角を同じ角度に設定した例である。尚、ドリルの場合には外周刃は設けなくて良い。
【００４８】
実施例１は上述のように構成したから、非切削部22を有する底刃６にして段差部９を境に工具中心側には切れ刃（切削部21）が設けられ切削作用を発揮し（切り屑を生じ）、工具外周側には非切削部22が設けられ切削作用を発揮せず（切り屑を生ぜず）、従来に比し切り屑の幅が短くなるのは勿論、非切削部22を有する底刃６の工具外周側における切削による切り屑の発生がなくなり、よって、該底刃６の工具中心側における切削による切り屑を切り屑排出溝２から良好に排出することが可能となる。
【００４９】
従って、実施例１は、縦送り加工時にも良好に切り屑を排出することができ、切り屑の詰まりを可及的に阻止できる極めて実用性に秀れた回転切削工具となる。
【実施例２】
【００５０】
本発明の具体的な実施例２について図１２〜２１に基づいて説明する。
【００５１】
実施例２は、実施例１と非切削部22の形状においてのみ相違する例であり、その余は実施例１と同様である。
【００５２】
即ち、実施例２は、図１２〜１４に図示したように、段差部９により、非切削部22を有する底刃６で切削される切り屑を、該底刃６の工具中心側で切削される切り屑と工具外周側で切削される切り屑とに分断せしめ得るように、前記非切削部22を、少なくとも工具本体１の先端外周側を一部残して工具本体１の軸方向に没入せしめたものである。
【００５３】
具体的には、図１５に図示したように、非切削部22の底面23のすかし角β（工具側面視水平基準線Ｌに対する傾斜角β）が、前記切削部21を形成する逃げ面８のすかし角αより大きな角度となるように（底面６の切れ刃の外方延長線Ｐと、非切削部22の底面23とギャッシュ面18との交差稜線とが交差するように）設定されている。
【００５４】
即ち、実施例２は、非切削部22を有する底刃６の少なくとも外周縁を含まないように外周側の部分を逃げ面８のすかし角βより大きな角度で切り欠いて、この切り欠きにより形成された段差部９より工具中心側で切削される切り屑と工具外周側で切削される切り屑とを分断し得るようにしたものである。従って、非切削部22の工具外周側には前記逃げ面８の一部が残存し、この非切削部22の工具外周側には、切削部21とは別の切削部24が形成されることになる。
【００５５】
尚、実施例２においては、非切削部22を有する底刃６の切れ刃を形成する逃げ面８のすかし角は２°に設定され、非切削部22の底面23のすかし角は５°に設定されている。また、実施例２においては、非切削部22の底面23が工具外周側から工具中心側に向かって下り傾斜する傾斜面であり、この傾斜面の工具中心側端部に段差部９を形成しているが、図１６に図示したように工具中心側から工具外周側に向かって下り傾斜する傾斜面により、この傾斜面の工具外周側端部に段差部９を形成する構成としても良い。
【００５６】
従って、実施例２は、非切削部22及び段差部９の存在により非切削部22を有する底刃６の切り屑は、工具中心側の切削部21による切り屑と工具外周側の切削部24による切り屑とに分断され、この切り屑の幅が短くなり、排出がよりスムーズに行われるのは勿論、非切削部22は切削作用を発揮しないから、非切削部22を有する底刃６の一部の切削作用は無効化し、切り屑の排出量も減少することになり、良好に切り屑を排出できるものとなる。
【００５７】
尚、実施例１と同様、４枚刃形状に限らず、５枚刃以上や、図１７〜１９に図示したような３枚刃形状でも同様である。例えば、図１７〜１９は、３つの底刃のうち、１つを上記非切削部22を有する底刃６に、２つを上記残余の底刃７に設定した場合であり、図１８は非切削部22の底面23を工具外周側から工具中心側に向かって下り傾斜する傾斜面とし、この傾斜面の工具中心側端部に段差部９を形成した例、図１９は工具中心側から工具外周側に向かって下り傾斜する傾斜面により、この傾斜面の工具外周側端部に段差部９を形成した例である。
【００５８】
また、前記底刃と前記外周刃11とが略４分の１円弧状のコーナアール刃を介して連設されているラジアスエンドミルや、ボールエンドミルや、図２０，２１に図示したような底刃６・７の工具中心側が工具外周側に比し軸方向に突出状態となるように構成されたドリル等の他の回転切削工具においても同様である。例えば、図２０，２１は、３つの底刃のうち、１つを上記非切削部22を有する底刃６に、２つを上記残余の底刃７に設定した場合であり、図２１は非切削部22の底面23を軸心に対して直交する水平面に設定し、軸心に対して傾斜する逃げ面８を該非切削部22により切り欠いて工具中心側端部に段差部９を形成した例である。
【図面の簡単な説明】
【００５９】
【図１】実施例１の概略説明斜視図である。
【図２】実施例１の概略説明正面図である。
【図３】実施例１の概略説明側面図である。
【図４】実施例１の要部の拡大概略説明断面図である。
【図５】別例の要部の拡大概略説明断面図である。
【図６】別例の概略説明正面図である。
【図７】別例の概略説明側面図である。
【図８】別例の概略説明側面図である。
【図９】別例の概略説明正面図である。
【図１０】別例の概略説明側面図である。
【図１１】底刃６の外周側除去率による限界送り量の変化を示すグラフである。
【図１２】実施例２の概略説明斜視図である。
【図１３】実施例２の概略説明正面図である。
【図１４】実施例２の概略説明側面図である。
【図１５】実施例２の要部の拡大概略説明断面図である。
【図１６】別例の要部の拡大概略説明断面図である。
【図１７】別例の概略説明正面図である。
【図１８】別例の概略説明側面図である。
【図１９】別例の概略説明側面図である。
【図２０】別例の概略説明正面図である。
【図２１】別例の概略説明側面図である。
【符号の説明】
【００６０】
１  工具本体
２  切り屑排出溝
３  すくい面
６  非切削部を有する底刃
７  残余の底刃
９  段差部
11  外周刃
21  切削部
22  非切削部
23  底面
Ｏ  工具中心
Ｌ  水平基準線
α  すかし角
β  傾斜角